(57)【要約】【課題】消費電力の軽減及びコスト低減を図りつつ、長時間撮影時の状態を適切に報知することができる撮影装置、撮影表示制御方法及びプログラムを提供する。【解決手段】デジタルカメラ装置１は、撮影された撮影画像を表示する表示部１１５と、表示部１１５よりも低消費電力で、撮影状態又は撮影条件を表示するＬＥＤ１１６と、撮影が長時間撮影であるか否かを判別する判別部１１０ｂと、判別部１１０ｂにより撮影が長時間撮影であると判別された場合に、表示部１１５の表示を消灯し、かつ、ＬＥＤ１１６が、長時間撮影中の状態の時間的な変化を識別可能に表示するように制御する制御部１１０ａと、を備える。【選択図】図２
2015222879.tif 000002
【特許請求の範囲】
【請求項１】
撮影手段と、
撮影された撮影画像を表示する第１の表示手段と、
前記第１の表示手段よりも低消費電力である第２の表示手段と、
撮影中に、前記第１の表示手段の表示を消灯し、かつ、
前記第２の表示手段が、前記撮影中の状態の変化を識別可能に表示するように制御する制御手段と、
を備えることを特徴とする撮影装置。
【請求項２】
撮影が長時間撮影であるか否かを判別する判別手段を備え、
前記制御手段は、
前記判別手段により撮影が長時間撮影であると判別された場合に、前記第１の表示手段の表示を消灯することを特徴とする請求項１に記載の撮影装置。
【請求項３】
前記判別手段は、長時間の露光時間が自動的に設定される撮影シーンが選択された場合、複数回の撮像を連続して行う撮影シーンが選択された場合、又は長時間の露光時間が設定された場合のいずれかに撮影が長時間撮影であると判別することを特徴とする請求項２に記載の撮影装置。
【請求項４】
前記制御手段は、
前記第１の表示手段が消灯している間、前記第２の表示手段を、前記長時間撮影中の状態の変化を識別可能に表示するように制御することを特徴とする請求項２又は請求項３に記載の撮影装置。
【請求項５】
前記制御手段は、
前記撮影中の状態の時間的な変化を識別可能とするように、前記第２の表示手段を点滅して表示させることを特徴とする請求項１乃至請求項４のいずれか一項に記載の撮影装置。
【請求項６】
前記制御手段は、前記第２の表示手段の点滅速度又は点滅と消灯の繰り返しにおける点滅回数を変化させることを特徴とする請求項１乃至請求項５のいずれか一項に記載の撮影装置。
【請求項７】
前記第２の表示手段は、複数の色が表示可能であり、
前記制御手段は、
前記撮影中の複数の状態の時間的な変化を識別可能とするように、前記第２の表示手段が表示する色を変えて表示させることを特徴とする請求項１乃至請求項６のいずれか一項に記載の撮影装置。
【請求項８】
前記制御手段は、
前記第２の表示手段が、撮影の終了までの残り時間を識別可能に表示するように制御することを特徴とする請求項１乃至請求項７のいずれか一項に記載の撮影装置。
【請求項９】
前記制御手段は、
撮影中に順番に行われる異なる撮影処理の種類を識別可能とするように、前記第２の表示手段を表示させることを特徴とする請求項１乃至請求項８のいずれか一項に記載の撮影装置。
【請求項１０】
前記異なる撮影処理は、撮影画像の露光とダーク画像の露光であることを特徴とする請
求項９に記載の撮影装置。
【請求項１１】
前記異なる撮影処理は、撮影条件を変化させながら複数回連続して行われる撮影と、その複数回連続して撮影された画像の合成処理であることを特徴とする請求項９に記載の撮影装置。
【請求項１２】
前記第２の表示手段は、前記撮影中の状態の変化を識別可能とする表示とは異なる用途でも使用されることを特徴とする請求項１乃至請求項１１のいずれか一項に記載の撮影装置。
【請求項１３】
撮影装置の撮影表示制御方法であって、
撮影ステップと、
撮影画像を第１の表示手段により表示するステップと、
撮影中に、前記第１の表示手段の表示を消灯するステップと、
前記第１の表示手段よりも低消費電力である第２の表示手段が、前記撮影中の状態の変化を識別可能に表示するように制御するステップと、
を含むことを特徴とする撮影表示制御方法。
【請求項１４】
撮影装置のコンピュータを、
撮影手段、
撮影された撮影画像を表示する第１の表示手段、
前記第１の表示手段よりも低消費電力である第２の表示手段、
撮影中に、前記第１の表示手段の表示を消灯し、かつ、
前記第２の表示手段が、前記撮影中の状態の変化を識別可能に表示するように制御する制御手段、
として機能させることを特徴とするプログラム。
【発明の詳細な説明】
【技術分野】
【０００１】
本発明は、撮影装置、撮影表示制御方法及びプログラムに関する。
【背景技術】
【０００２】
デジタルカメラにおいて、静止画撮影を行う場合、始めにモニタ画面にライブビュー画面を表示している。露光開始と同時に本体のモニタ画面をオフし、露光が終了したときに、モニタ画面にライブビュー画面を表示する。
【０００３】
一方、撮影モードの一種に、暗い場所にある被写体を鮮明に撮影することができるように、通常よりも露光時間を長くし、ノイズ低減処理を行った後に画像を記録する「長時間撮影モード」がある。長時間撮影モードは、一般に露光時間が１秒を超える撮影を行う動作モードのことをいう。長時間撮影モードでは、使用する撮像素子によってノイズが発生することが知られている。特に、コンパクトタイプの撮影装置に用いる撮像素子は、暗電流などに起因したノイズが発生しやすい。そこで、撮像素子に発生するノイズを除去し、より高品質の画像を得るために、長時間撮影モードによって画像を撮影した後には、「ノイズ低減処理」が行われる。
【０００４】
ノイズ低減処理は、利用者のシャッター操作によって行われる長時間撮影（以下、「本撮影」という。）の後に、撮像装置が自動的にシャッターを閉じて、もう一枚画像を撮影（以下、「ダーク画像撮影」という。）し、本撮影と同じ露出時間で撮影を止め、本撮影の画像からダーク画像撮影の画像を減算して合成する処理をいう。なお、以下の説明において、本撮影の画像を「本画像」、ダーク画像撮影の画像を「ダーク画像」と呼称する。
このノイズ低減処理によって暗電流などで生じたノイズ（被写体とは無関係な光の点など）を除去することができる。このように、ノイズ低減処理は、本撮影の露光時間と同じ時間だけ、再度の撮影処理を行い、さらに画像演算処理を行うものである。よって、本撮影の露光時間が長ければ長いほど、ノイズ低減処理に要する時間は長くなる。
例えば、３０秒の露光を行う場合は、本撮影の３０秒間はモニタ画面をオフし、ダーク画像撮影の３０秒間はモニタ画面をオフしたまま、本体のＬＥＤ（Light Emitting Diode）を一定間隔で点滅させて、ダーク画像撮影中であることを示し、２つの画像の合成が終了後に、次の撮影のためのライブビュー画面に復帰する。
【０００５】
この場合、ユーザは、合計１分以上の間、待たされることになり、あとどのくらいで撮影が終了するのかを知ることが望まれた。そこで、長時間撮影を行っている間、撮影が終了するまでの残り時間をユーザに報知するために種々の提案がなされている。
【０００６】
特許文献１には、長時間撮影モードにおいて、露光処理の終了後にノイズ低減処理を実行するノイズ低減処理手段と、長時間撮影モードの一つとして打ち上げ花火モードが選択されたときに、撮像指示があった時から露光時間の残り時間をモニタに表示させる表示手段と、を有する撮像装置が記載されている。特許文献１に記載の撮像装置は、ライブビュー表示を行うモニタ画面の端部に残り時間を表示する。
【先行技術文献】
【特許文献】
【０００７】
【特許文献１】特開２０１２−１５６６７９号公報
【発明の概要】
【発明が解決しようとする課題】
【０００８】
しかしながら、特許文献１記載の撮像装置は、前記露光時間の残り時間を消費電力の大きいモニタ画面に表示し続ける構成であったため、電池残量への影響が大きいという問題がある。
【０００９】
本発明は、上述した問題点に鑑み、長時間撮影であっても、消費電力の軽減を図りつつ、撮影中の状態の変化を適切に報知することができる撮影装置、撮影表示制御方法及びプログラムを提供することを課題とする。
【課題を解決するための手段】
【００１０】
上記課題を解決するため、本発明の一態様は、撮影手段と、撮影された撮影画像を表示する第１の表示手段と、前記第１の表示手段よりも低消費電力である第２の表示手段と、撮影中に、前記第１の表示手段の表示を消灯し、かつ、前記第２の表示手段が、前記撮影中の状態の変化を識別可能に表示するように制御する制御手段と、を備えることを特徴とする。
【発明の効果】
【００１１】
本発明によれば、長時間撮影であっても、消費電力の軽減を図りつつ、撮影中の状態の変化を適切に報知することができる撮影装置、撮影表示制御方法及びプログラムを提供することができる。
【図面の簡単な説明】
【００１２】
【図１】本発明の実施形態１に係るデジタルカメラ装置の外観を示す斜視図である。
【図２】上記実施形態１に係るデジタルカメラ装置の構成を示すブロック図である。
【図３】上記実施形態１に係るデジタルカメラ装置の長時間撮影処理を示すフローチャートである。
【図４】上記実施形態１に係るデジタルカメラ装置の長時間撮影処理（続き）を示すフローチャートである。
【図５】上記実施形態１に係るデジタルカメラ装置の長時間撮影処理を示すタイミングチャートである。
【図６】本発明の実施形態２に係るデジタルカメラ装置の長時間撮影処理を示すフローチャートである。
【発明を実施するための形態】
【００１３】
以下、本発明の実施形態について図面を参照して詳細に説明する。
【００１４】
（実施形態１）
図１は、本発明の実施形態１に係るデジタルカメラ装置の外観を示す斜視図である。本実施の形態の撮影装置は、長時間撮影の一例として「長時間露光」を行うデジタルカメラ装置に適用した例である。
【００１５】
図１に示すように、デジタルカメラ装置１（撮影装置）は、カメラ本体１ａの背面側に液晶モニタ１１（第１の表示手段）と、ＬＥＤ１２（第２の表示手段）と、操作キー１３〜１５と、を備える。また、カメラ本体１ａの上面部には、被写体の撮影指示に係るレリーズキー（シャッターボタンともいう）１６を備える。
【００１６】
液晶モニタ１１は、カメラ本体１ａの背面を覆う大型ディスプレイであり、撮影した画像や各種情報を表示する。液晶モニタ１１は、例えばＬＣＤ（Liquid Crystal Display）、白色ＬＥＤバックライト及び各ドライバで構成される。また、液晶モニタ１１は、有機ＥＬ（Organic Electro-Luminescence）ディスプレイ等で構成される有機ＥＬモニタでもよい。
【００１７】
ＬＥＤ１２は、発光又は点滅して撮影条件等を表示する。ＬＥＤ１２は、ＬＣＤディスプレイ又は有機ＥＬディスプレイからなるモニタ画面（液晶モニタ１１）とは別に配置される。ＬＥＤ１２は、液晶モニタ１１よりも低消費電力であればよく、撮影条件等を表示するための小型のＬＣＤディスプレイであってもよい。
【００１８】
操作キー１３〜１５は、デジタルカメラ装置１の所定操作を行う。ここでは、例えば撮影モードや機能等の選択指示に係る選択決定ボタン１３（操作キー）、ズーム量の調整指示に係るズームボタン１４，１５（操作キー）である。なお、図示は省略するが、カメラ本体１ａには、ズーム操作スイッチ、録画モード（ＲＥＣモード）と再生モード（ＰＬＡＹモード）の切り替え行う動作モード切り替えスイッチ、液晶モニタスイッチ、フラッシュキー、セルフタイマキー、メニューキーの各種スイッチが設けられている。これら操作キーの各ボタンの操作に応じた操作信号がＣＰＵ（Central Processing Unit）１１０（
図２参照）に出力される。
【００１９】
図２は、本発明の実施形態１に係るデジタルカメラ装置の構成を示すブロック図である。
図２に示すように、デジタルカメラ装置１は、撮像光学系１０１（撮影手段）、イメージセンサ１０２（撮影手段）、画像処理部１０３、撮影制御部１０４、ＣＰＵ１１０（制御手段）、ＳＤＲＡＭ（Synchronous DRAM）１１１、フラッシュメモリ（flash memory）１１２、外部メモリ１１３、キー操作部１１４、モニタ画面に撮影された撮影画像を表示する表示部１１５（第１の表示手段）、及びＬＥＤ１１６（第２の表示手段）を備え、各要素はシステムバス１１７で結ばれる。また、デジタルカメラ装置１は、リチウムイオン電池等の二次電池等からなるバッテリ１１８と、バッテリ１１８の電力を基に、各部に所定電圧レベルを供給する電源１１９と、を備える。なお、表示部１１５は、図１の液晶モニタ１１に対応し、ＬＥＤ１１６は、図１のＬＥＤ１２に、またキー操作部１１４は、図１の操作キー１３〜１５及びレリーズキー１６に対応している。
【００２０】
撮像光学系１０１は、合焦状態調節のために光軸に沿って移動するフォーカスレンズ、被写体の光学的な像を変倍するため光軸に沿って移動するズームレンズといった複数枚のレンズ、イメージセンサ１０２に入射する被写体像の光量を調整する絞り、及びシャッターから構成され、被写体像をイメージセンサ１０２上に結像させる。
【００２１】
イメージセンサ１０２は、撮像光学系１０１により結像された被写対象を電気信号（映像信号）に変換する。例えば、イメージセンサ１０２は、ＣＭＯＳ（Complementary Metal Oxide Semiconductor）又はＣＣＤ（Charge Coupled Device）等である。イメージセンサ１０２の駆動モードは、通常撮影を行う「通常モード」、長時間撮影の本撮影を行う「長時間撮影モード」、ダーク画像撮影を行う「ダーク画像撮影モード」）を有する。
【００２２】
ライブビュー表示（ＲＥＣスルー表示ともいう）モニタリング状態では、イメージセンサ１０２での撮像により得た画像信号を図示しないＡＧＣ（Automatic Gain Control）・Ａ／Ｄ変換部に送り、相関二乗サンプリングや自動ゲイン調整、Ａ／Ｄ変換処理を実行してデジタル化する。このデジタル値の画像データはシステムバス１１７を介してＳＤＲＡＭ１１１に保持される。ＳＤＲＡＭ１１１は、少なくとも２フレーム分の画像データを保持可能な容量を有する。
【００２３】
画像処理部１０３は、ＳＤＲＡＭ１１１に保持された画像データに対して、適宜必要な画像処理を施す。例えば、画像処理部１０３では、ＳＤＲＡＭ１１１が保持するイメージセンサ１０２が備えるベイヤー配列のカラーフィルタの構成に応じた画像データ（ＲＡＷ（生）データ）に対してデジタル現像処理、具体的には画素補間処理、ガンマ補正処理、
マトリックス演算等のデモザイク処理を施すことで、輝度色差系（ＹＵＶ）の画像データに変換する。また、画像処理部１０３は、現像後の画像データから表示用に画素数及び階調ビットを大幅に減じた画像データを作成し、システムバス１１７を介して表示部１１５へ送る。表示部１１５では、送られてきた画像データに基づいてライブビュー表示を行う。
【００２４】
撮影制御部１０４は、ＣＰＵ１１０からの指示に従って、撮像光学系１０１及びイメージセンサ１０２に対し合焦・露光等の撮影制御を行う。例えば、撮影制御部１０４は、撮像光学系１０１のフォーカスレンズ等を光軸上で前後に移動させて合焦動作を行う駆動制御、撮像光学系１０１の絞りの開口、シャッターの開閉時間を調節する露光制御、及び撮影補助光を被写体に向けて照射させる発光制御を行う。また、撮影制御部１０４は、イメージセンサ１０２を駆動するＶドライバ（垂直方向ドライバ）を有し、発生した所定のタイミング信号に基づきＶドライバによりイメージセンサ１０２を駆動する。これにより、イメージセンサ１０２は、被写体像の輝度に応じたアナログの撮像信号を画像処理部１０３に出力する。なお、撮影制御部１０４は、長時間撮影（一例として長時間露光）制御の一部を、ＣＰＵ１１０と協業して実行する。
【００２５】
ＣＰＵ１１０は、フラッシュメモリ１１２に記憶された制御プログラムやデータ等を読み出してＳＤＲＡＭ１１１に展開し、ＣＰＵ１１０が各種処理を実行する。ＣＰＵ１１０は、デジタルカメラ装置１の全体制御を行う。また、ＣＰＵ１１０は、キー操作部１１４から直接入力される各種キー操作信号に対応して制御動作を実行する。
【００２６】
ＣＰＵ１１０は、制御部１１０ａ（制御手段）と、判別部１１０ｂ（判別手段）と、を備える。
制御部１１０ａは、長時間撮影が開始された場合、表示部１１５の表示を消灯し、かつ、ＬＥＤ１１６が、長時間撮影中の状態を識別可能に表示するように制御する。具体的には、制御部１１０ａは、長時間撮影中の状態の時間的な変化を識別可能とするように、ＬＥＤ１１６を点滅して表示させる。例えば、制御部１１０ａは、ＬＥＤ１１６の点滅速度又は点滅と消灯の繰り返しにおける点滅回数を変化させる。
【００２７】
また、制御部１１０ａは、長時間撮影中に順番に行われる異なる露光の種類を識別可能とするように、ＬＥＤ１１６を表示させる。上記異なる露光とは、本実施形態では、本画像の露光とダーク画像の露光である。また、実施形態２で後記するように、異なる露光は、撮影条件を変化させながら複数回連続して行われる露光であってもよい。さらに、その他の長時間撮影でもよく、長時間撮影には当該長時間撮影のための処理時間を含む。
【００２８】
また、制御部１１０ａは、ＬＥＤ１１６が複数色表示可能である場合、長時間撮影中の複数の状態の時間的な変化を識別可能とするように、ＬＥＤ１１６が表示する色を変えて表示させる。この場合、制御部１１０ａは、ＬＥＤ１１６が、長時間撮影の終了までの残り時間を識別可能に表示するように制御するものとする。
【００２９】
判別部１１０ｂは、撮影が長時間撮影であるか否かを判別する。具体的には、判別部１１０ｂは、長時間の露光時間が自動的に設定される撮影シーンが選択された場合、複数回の撮像を連続して行う撮影シーンが選択された場合、又は手動で長時間の露光時間が設定された場合に撮影が長時間撮影であると判別する。
【００３０】
ここで、制御部１１０ａは、判別部１１０ｂによって撮影が長時間撮影であると判別された場合に、表示部１１５の表示を消灯し、長時間撮影中の複数の状態の時間的な変化を識別可能に表示するように制御する。なお、制御部１１０ａの長時間撮影処理の詳細については後記する。
【００３１】
ＳＤＲＡＭ１１１は、ＣＰＵ１１０が制御プログラムを実行する際に使用する作業用のメモリ空間、または、生成される各種データを一時的に保存する。
【００３２】
フラッシュメモリ１１２は、ＣＰＵ１１０が実行する制御プログラムや初期設定データを格納する。フラッシュメモリ１１２は、電気的に書換可能な不揮発性メモリで構成され、後記する長時間撮影処理を含む各種動作プログラムやデータ等を固定的に記憶する。
【００３３】
外部メモリ１１３は、カメラ本体１ａ（図１参照）に着脱自在に装着され、デジタルカメラ装置１の記録媒体となる記録用メモリである。
【００３４】
キー操作部１１４は、例えば電源キー、静止画像撮影のためのレリーズキー、動画像撮影のための「ＲＥＣ」キー、ズームアップ／ダウンキー、撮影モードキー、再生モードキー、メニューキー、カーソル（「↑」「→」「↓」「←」）キー、セットキー、解除キー、ディスプレイキー等を備える。なお、キー操作部１１４は、図１の操作キー１３〜１５及びレリーズキー１６を含んでいる。
ユーザは、画像撮影の際には撮影パラメータを利用して撮影を行うことができる。撮影パラメータ情報には、各種撮影パラメータ、例えば、露出、シャッター速度、補助光、画角、撮影モード（接写、夜景、花火、セピア、モノクロ等）、ホワイトバランス等が含まれる。
【００３５】
表示部１１５は、画像を表示する液晶パネル（図１の液晶モニタ１１）と、その表示制御部（図示省略）とから構成される。液晶パネルは、例えばバックライト付きのＬＣＤディスプレイである。この表示制御部は、フラッシュメモリ１１２に一時的に格納されている表示用の画像データを読み出して、画像処理部１０３により復号された所定サイズの画像データに基づいて、所定の画像を表示パネルの表示画面に表示させる制御を行う。また、この表示制御部は、被写体の撮像により生成された複数のフレーム画像を所定のフレームレートで逐次更新しながらライブビュー画像を表示パネルに表示させる。また、表示制御部は、静止画として記録される画像（ライブビュー画像）を表示パネルに表示させたり、動画として記録中の画像を表示パネルに表示させたりする。
【００３６】
ＬＥＤ１１６は、発光又は点滅して撮影状態又は撮影条件を表示する。ＬＥＤ１１６は、ＬＣＤディスプレイ又は有機ＥＬディスプレイからなる表示部１１５よりも低消費電力である。ＬＥＤ１１６は、カメラ本体１ａにフォーカスの合焦状態やフラッシュの充電中の報知といった用途のために備えられている。本実施形態では、このＬＥＤ１１６を、長時間撮影中の状態を識別可能に表示する「第２の表示手段」として供用する。また、ＬＥＤ１１６は、複数の色（例えば緑色・黄色・赤色）が表示可能なＬＥＤであってもよい。
【００３７】
電源１１９は、バッテリ１１８（リチウムイオン二次電池）又は外部電源を基に、デジタルカメラ装置１のカメラ本体１ａ内部の各構成に駆動用電力を供給する。
【００３８】
以下、上述のように構成されたデジタルカメラ装置の撮影表示制御方法について説明する。
まず、長時間撮影として「長時間露光」を行う場合を例に採り、基本的な考え方について説明する。
長時間露光（長時間撮影）の場合、ユーザがレリーズキー１６を操作して本撮影後に、制御部１１０ａがシャッターを閉じて、本画像と同じ露光時間のダーク画像撮影を行い、本画像からダーク画像を減算して合成することにより、撮像素子のノイズを抑制する。２つの画像の合成が終了した後に、次の撮影のためのライブビュー表示に復帰する。露光時間が長時間となるため、あとどのくらいで撮影が終了するのかカメラの動作状態をユーザ
に知らせることが好ましい。しかし、ライブビュー表示を行うモニタ画面の端部に残り時間を表示する態様では、消費電力の大きいモニタ画面を表示し続けるため、電池残量への影響が大きい。
【００３９】
そこで、本実施の形態のデジタルカメラ装置１は、長時間撮影中に、本撮影時に消費電力の大きいモニタ画面をオフし、ダーク画像撮影時にはモニタ画面をオフしたまま、消費電力の小さいＬＥＤ１１６を一定時間で点滅させて、長時間撮影終了までの残り時間やダーク画像撮影中であることを識別可能にする。この場合、長時間撮影終了までの残り時間に応じて、ＬＥＤ１１６の点滅の時間間隔や、点滅パターンを変えることで、ユーザに、あとどのくらいで長時間撮影が終了するかがわかるようにする。
本動作の特徴を示すと下記の通りである。
【００４０】
（１）長時間露光（長時間撮影）による撮影中（モニタ画面は消灯）、長時間撮影終了までの時間を、デジタルカメラ装置１のカメラ本体１ａに他の用途のために備えたＬＥＤ１１６（第２の表示手段）を使用して、ユーザに識別可能にする。なお、長時間露光開始後、モニタ画面を消灯するものは既にある。
【００４１】
（２）長時間撮影終了までの残り時間に従ってＬＥＤ１１６の点滅間隔を変える。例えば、長時間撮影終了までの残り時間が短いほど、ＬＥＤ１１６の点滅間隔を早くする。
【００４２】
（３）ＬＥＤ１１６の表示は、本撮影（本画像の露光）と、ダーク画像撮影（ダーク画像の露光、本画像の露光と同じ露光時間）とを識別可能とする。なお、本撮影中は、ＬＥＤ点灯、ダーク画像撮影中は、ＬＥＤ点滅するというものは既にある。
【００４３】
（４）本撮影表示制御方法の適用対象は、長時間撮影であればよく、上記長時間露光には限定されない。例えば、長時間露光以外の長時間撮影として、主に連写合成によるパノラマ画像の生成や連写合成によりダイナミックレンジを拡大した画像を生成するＨＤＲ（High Dynamic Range）が挙げられる。なお、ＨＤＲによる長時間撮影の例については実施形態２により説明する。
【００４４】
（５）長時間撮影終了までの残り時間を消費電力の小さい第２の表示手段で表示することを特徴とする。すなわち、上記第２の表示手段は、消費電力の小さいものであればよく、一例としてＬＥＤ１１６を用いているが、消費電力の小さい他の表示手段でもよい。また、複数のＬＥＤを用いると、筐体上に所定の面積を必要とし、またコストの上昇も避けられないので、本実施形態では、１つのＬＥＤ１１６を用いている。
【００４５】
（６）ＬＥＤ１１６が、複数色の発光が可能なＬＥＤの場合は、上記点滅に加え、あるいは上記点滅と併用して色により残り時間を表示するようにしてもよい。また、長時間露光の場合、本撮影（本画像の露光）中とダーク画像撮影（ダーク画像の露光）中とを識別可能とすることが好ましい。
【００４６】
図３及び図４は、デジタルカメラ装置の長時間撮影処理を示すフローチャートである。本フローは、ＣＰＵ１１０により実行される。図５は、デジタルカメラ装置の長時間撮影処理を示すタイミングチャートである。
【００４７】
まず、ステップＳ１１で制御部１１０ａは、撮影モードが設定されているか否かを判別し、撮影モードが設定されていない場合（ステップＳ１１：Ｎｏ）は本フローを終了する。撮影モードに設定することにより、ライブビュー表示がモニタ画面に表示される（図５の符号ａ参照）。なお、ライブビュー表示は、ＲＥＣスルー表示と呼称されることがある。
【００４８】
撮影モードが設定されている場合（ステップＳ１１：Ｙｅｓ）、ステップＳ１２で判別部１１０ｂは、長時間撮影モードが設定されているか否かを判別する。判別部１１０ｂは、撮影が長時間撮影であるか否かを判別する。例えば、判別部１１０ｂは、長時間の露光時間が自動的に設定される撮影シーンが選択された場合、又は手動で長時間の露光時間が設定された場合に長時間撮影モードが設定されていると判別する。
長時間撮影モードが設定されていない場合（ステップＳ１２：Ｎｏ）は本フローを終了する。
【００４９】
長時間撮影モードが設定されている場合（ステップＳ１２：Ｙｅｓ）、ステップＳ１３で制御部１１０ａは、レリーズキー１６押下か否かを判別し、レリーズキー１６が押下されるまで待つ（ステップＳ１３：Ｎｏ）。
【００５０】
レリーズキー１６が押下された場合（ステップＳ１３：Ｙｅｓ）、ステップＳ１４で制御部１１０ａは、イメージセンサ１０２の駆動モードを長時間撮影モードに変えて、本撮影（本画像の露光）を開始する（図５の符号ｂ参照）。制御部１１０ａは、本撮影（本画像の露光）開始と同時に、モニタ画面をオフする。モニタ画面のオフは、表示部１１５がバックライト付きのＬＣＤディスプレイの場合、液晶表示を含むＬＣＤディスプレイ全体の通電オフ、又はバックライトへの通電オフである。表示部１１５が有機ＥＬディスプレイの場合、有機ＥＬディスプレイ全体の通電オフである。
【００５１】
次いで、ステップＳ１５で制御部１１０ａは、ＬＥＤ１１６を最も長い残り時間である長時間の点滅時間間隔（ここでは、３秒間隔）で点滅を開始する（図５の符号ｃ参照）。
【００５２】
次いで、ステップＳ１６で制御部１１０ａは、本撮影終了まで所定時間（ここでは、３分）以内になったか否かを判別する。本撮影終了までの所定時間とは、本画像の露光時間の残り時間である。本撮影終了まで所定時間（３分）以内になっていない場合（ステップＳ１６：Ｎｏ）は上記ステップＳ１５に戻り、ＬＥＤ１１６の３秒間隔の点滅を継続する。
【００５３】
本撮影終了まで所定時間（３分）以内になった場合（ステップＳ１６：Ｙｅｓ）、ステップＳ１７で制御部１１０ａは、ＬＥＤ１１６の点滅時間間隔を中位の残り時間である中時間の点滅時間間隔（ここでは、２秒間隔）に狭める（図５の符号ｄ参照）。
ステップＳ１８では、制御部１１０ａは、３秒から２秒に狭めた点滅時間間隔でＬＥＤ１１６の点滅を継続させる（図５の符号ｄ参照）。
【００５４】
次いで、ステップＳ１９で制御部１１０ａは、本撮影終了まで所定時間（ここでは、１分）以内になったか否かを判別する。本撮影終了まで所定時間（１分）以内になっていない場合（ステップＳ１９：Ｎｏ）は、上記ステップＳ１８に戻り、ＬＥＤ１１６の２秒間隔の点滅を継続する。
【００５５】
本撮影終了まで所定時間（１分）以内になった場合（ステップＳ１９：Ｙｅｓ）、ステップＳ２０で制御部１１０ａは、ＬＥＤ１１６の点滅時間間隔を最も短い残り時間である短時間の点滅時間間隔（ここでは、１秒間隔）に狭める（図５の符号ｅ参照）。
ステップＳ２１では、制御部１１０ａは、２秒から１秒に狭めた点滅時間間隔でＬＥＤ１１６の点滅を継続させる（図５の符号ｅ参照）。
【００５６】
次いで、ステップＳ２２で制御部１１０ａは、本撮影（本画像の露光）の終了か否かを判別する。本撮影の終了でない場合（ステップＳ２２：Ｎｏ）は、上記ステップＳ２１に戻り、ＬＥＤ１１６の１秒間隔の点滅を継続する。
【００５７】
本撮影が終了した場合（ステップＳ２２：Ｙｅｓ）、ステップＳ２３で制御部１１０ａは、シャッターを閉じ（図５の符号ｆ参照）、本撮影（本画像の露光）を終了する（図５の符号ｇ参照）。
本撮影が終了した場合、ステップＳ２３で制御部１１０ａは、本画像をＳＤＲＡＭ１１１に保存する。
【００５８】
次に、ステップＳ２４では、制御部１１０ａは、イメージセンサ１０２の駆動モードをダーク画像撮影モードに変えて、ダーク画像撮影（ダーク画像の露光）を開始する（図５の符号ｈ参照）。
【００５９】
次いで、ステップＳ２５で制御部１１０ａは、ＬＥＤ１１６をダーク画像撮影の前記長時間の点滅時間間隔（ここでは、３秒間隔）で点滅を開始する（図５の符号ｉ参照）。
【００６０】
次いで、ステップＳ２６で制御部１１０ａは、ダーク画像撮影の終了まで所定時間（ここでは、３分）以内になったか否かを判別する。ダーク画像撮影の終了まで所定時間（３分）以内になっていない場合（ステップＳ２６：Ｎｏ）は上記ステップＳ２５に戻り、ＬＥＤ１１６の３秒間隔の点滅を継続する。
【００６１】
ダーク画像撮影の終了まで所定時間（３分）以内になった場合（ステップＳ２６：Ｙｅｓ）、ステップＳ２７で制御部１１０ａは、ＬＥＤ１１６の点滅時間間隔をダーク画像撮影の前記中時間の点滅時間間隔（ここでは、２秒間隔）に狭め（図５の符号ｊ参照）、ノードＢを介して図４のステップＳ２８に進む。
ステップＳ２８では、制御部１１０ａは、３秒から２秒に狭めた点滅時間間隔でＬＥＤ１１６の点滅を継続させる（図５の符号ｊ参照）。
【００６２】
次いで、ステップＳ２９で制御部１１０ａは、ダーク画像撮影の終了まで所定時間（ここでは、１分）以内になったか否かを判別する。ダーク画像撮影の終了まで所定時間（１分）以内になっていない場合（ステップＳ２９：Ｎｏ）は、上記ステップＳ２８に戻り、ＬＥＤ１１６の２秒間隔の点滅を継続する。
【００６３】
ダーク画像撮影の終了まで所定時間（１分）以内になった場合（ステップＳ２９：Ｙｅｓ）、ステップＳ３０で制御部１１０ａは、ＬＥＤ１１６の点滅時間間隔を前記短時間の点滅時間間隔（ここでは、１秒間隔）に狭める（図５の符号ｋ参照）。
ステップＳ３１では、制御部１１０ａは、２秒から１秒に狭めた点滅時間間隔でＬＥＤ１１６の点滅を継続させる（図５の符号ｋ参照）。
【００６４】
次いで、ステップＳ３２で制御部１１０ａは、ダーク画像撮影（ダーク画像の露光）の終了か否かを判別する。ダーク画像撮影の終了でない場合（ステップＳ３２：Ｎｏ）は、上記ステップＳ３１に戻り、ＬＥＤ１１６の１秒間隔の点滅を継続する。
ダーク画像撮影が終了した場合（ステップＳ３２：Ｙｅｓ）、ステップＳ３２で制御部１１０ａは、シャッターを開き（図５の符号ｍ参照）、イメージセンサ１０２の駆動モードを通常モードに変えて撮影を終了する（図５の符号ｌ参照）。
ダーク画像撮影が終了した場合、ステップＳ３３で制御部１１０ａは、ダーク画像（ダーク画像撮影した画像）をＳＤＲＡＭ１１１に保存する。
【００６５】
ステップＳ３４では、制御部１１０ａは、本画像からダーク画像を減算して合成し１枚の撮影画像を作成し、フラッシュメモリ１１２又は外部メモリ１１３に保存する。
ステップＳ３５では、制御部１１０ａは、モニタ画面にライブビュー表示を行って本フローを終了する。
【００６６】
なお、ダーク画像撮影の残り時間は、ダーク画像の露光後の合成の処理時間を含めた時間で表示してもよい。
以下、具体例について説明する。
【００６７】
[適用例]
長時間撮影として、長時間露光を例に採り、長時間露光の撮影シーンとして「星空」「夜景」等が選択された場合を想定する。また、ユーザ設定によりシャッター速度が３０秒以上（任意に変更可能）に設定された場合を例に採る。
ＬＥＤ１１６は、１色のみの点滅であるとする。デジタルカメラ装置１は、ＬＥＤ１１６の点滅速度（点滅の速さ）により、長時間撮影終了までの残り時間を識別可能にする。本画像の露光（本撮影）とダーク画像の露光（ダーク画像撮影）のような露光の種類の区別はしない例とする。
【００６８】
残り時間が３分より長い、３秒間隔で点滅（図３のステップＳ１５，ステップＳ２５参照）
残り時間が３〜１分、２秒間隔で点滅（図３及び図４のステップＳ１８，ステップＳ２８参照）
残り時間が１分以内、１秒間隔で点滅（図３及び図４のステップＳ２０，ステップＳ３１参照）
ここで、長時間撮影中とは異なる撮影に係る状態には、例えば、通常撮影における、撮影待機状態（ライブビュー表示中）、レリーズキー半押し中、撮影実行後の処理中がある。
【００６９】
[変形例１]
ＬＥＤ１１６は、１色のみの点滅であるとする。デジタルカメラ装置１は、ＬＥＤ１１６の点滅回数により、長時間撮影終了までの残り時間を識別可能にする。また、本画像の露光（本撮影）とダーク画像の露光（ダーク画像撮影）のような露光の種類の区別はしない例とする。
残り時間が３分より長い：１秒間隔で５回連続で点滅し、３秒間消灯することを繰り返す。
残り時間が３〜１分：１秒間隔で３回連続で点滅し、３秒消灯することを繰り返す。
残り時間が１分以内：１秒間隔で点滅する。
【００７０】
[変形例２]
ＬＥＤ１１６は、１色のみの点滅であるとする。デジタルカメラ装置１は、ＬＥＤ１１６の点滅速度により、露光の種類を識別可能にする。長時間撮影終了までの残り時間の識別はしない例とする。
本画像の露光（本撮影）：３秒間隔で点滅
ダーク画像の露光（ダーク画像撮影）：１秒間隔で点滅
【００７１】
[変形例３]
ＬＥＤ１１６は、複数色（赤、黄、緑）で点滅可能であるとする。デジタルカメラ装置１は、ＬＥＤ１１６の複数色の点滅により、長時間撮影終了までの残り時間を識別可能にする。また、本画像の露光（本撮影）とダーク画像の露光（ダーク画像撮影）のような露光の種類の区別はしない例とする。
残り時間が３分より長い：赤色点滅
残り時間が３〜１分：黄色点滅
残り時間が１分以内：緑色点滅
【００７２】
[変形例４]
ＬＥＤ１１６は、複数色で点滅可能であるとする。デジタルカメラ装置１は、ＬＥＤ１１６の複数色の点滅により、長時間撮影終了までの残り時間と露光の種類の区別の両方を識別可能にする。
・本画像の露光（本撮影）
残り時間が３分以上：緑色の３秒間隔で点滅
残り時間が３〜１分：緑色の２秒間隔で点滅
残り時間が１分以内：緑色の１秒間隔で点滅
【００７３】
・ダーク画像の露光（ダーク画像撮影）
残り時間が３分以上：赤色の３秒間隔で点滅
残り時間が３〜１分：赤色の２秒間隔で点滅
残り時間が１分以内：赤色の１秒間隔で点滅
【００７４】
ここで、変形例４においても、ＬＥＤ１１６の点滅速度に替えて点滅回数（消灯期間を挟んだ前後の点滅回数）で、長時間撮影終了までの残り時間を知らせることも可能である。例えば、残り時間が３分より長い場合は１秒間隔で５回連続で点滅し、３秒間消灯することを繰り返す。残り時間が３分以内になったら１秒間で３回連続で点滅し、３秒消灯することを繰り返す。１分以内になったら１秒間隔で点滅にする、等である。このように構成すれば、ユーザにＬＥＤ１１６の点滅回数によって、長時間撮影終了までの残り時間を直感的に知らせることができる。
【００７５】
以上説明したように、本実施形態に係るデジタルカメラ装置１は、撮影された撮影画像を表示する表示部１１５と、表示部１１５よりも低消費電力で、撮影状態又は撮影条件を表示するＬＥＤ１１６と、撮影が長時間撮影であるか否かを判別する判別部１１０ｂと、判別部１１０ｂにより撮影が長時間撮影であると判別された場合に、表示部１１５の表示を消灯し、かつ、ＬＥＤ１１６が、長時間撮影中の状態を識別可能に表示するように制御する制御部１１０ａと、を備える。図３乃至図５に示すように、長時間撮影終了までの時間に応じて、点滅の時間間隔（３秒→２秒→１秒）や点滅パターン（３秒，２秒，１秒）を変える。
【００７６】
これにより、長時間撮影（本実施形態では、長時間露光）中に、消費電力が相対的に大きい、ＬＣＤ等のモニタ画面といった主となる表示手段（表示部１１５）を消灯し、消費電力が相対的に小さい、従となる表示手段（ＬＥＤ１１６）により、ユーザに長時間撮影の状態の変化を識別可能に表示することで、消費電力の軽減を図りつつ、例えば、ユーザは、長時間撮影終了までの残り時間や、順番に行われる長時間撮影の撮影処理の種類（本撮影（本画像（撮影画像）の露光とダーク画像撮影（ダーク画像の露光）との切替タイミング）等を知ることができる。したがって、ユーザが、例えば「夜景」等の暗闇の中で、ただ長時間撮影終了を待ち続けるような状況をなくすことができ、焦燥感を緩和させることができる。
【００７７】
また、本実施形態では、制御部１１０ａは、長時間撮影中の状態の時間的な変化を識別可能とするように、ＬＥＤ１１６を点滅して表示させることで、長時間撮影時の状態を適切に報知することができる。
【００７８】
また、本実施形態では、制御部１１０ａは、ＬＥＤ１１６の点滅速度又は点滅回数を変化させることで、点滅の仕方によって長時間撮影終了までの残り時間を適切に報知することができる。
【００７９】
また、本実施形態では、制御部１１０ａは、ＬＥＤ１１６が、長時間撮影の終了までの
残り時間を識別可能に表示するように制御することで、長時間撮影終了までの残り時間を適切に報知することができる。
【００８０】
また、本実施形態では、制御部１１０ａは、長時間撮影中に順番に行われる異なる撮影処理（本画像の露光（本撮影）とダーク画像の露光（ダーク画像撮影））の種類を識別可能とするように、ＬＥＤ１１６を表示させることで、長時間撮影時の状態を適切に報知することができる。
すなわち、本実施形態では、本画像の露光（本撮影）において、その残り時間が、３秒間隔、２秒間隔、１秒間隔で点滅後、ダーク画像の露光（ダーク画像撮影）において、その残り時間が、３秒間隔、２秒間隔、１秒間隔で点滅するので、ユーザは、両者の露光の点滅間隔の変化（１秒間隔で点滅したものが、３秒間隔の点滅に戻る変化）を認識することで、長時間撮影時の状態を適切に報知することができる。本画像の露光（本撮影）が終われば、ダーク画像の露光（ダーク画像撮影）中は、デジタルカメラ装置１を動かしても大丈夫であるため、そのことをユーザに報知できることは、ユーザの使い勝手向上の点で有益である。
【００８１】
また、本実施形態では、撮影が長時間撮影であるか否かを判別する判別部１１０ｂを備え、制御部１１０ａは、判別部１１０ｂにより撮影が長時間撮影であると判別された場合に、表示部１１５の表示を消灯し、かつ、長時間撮影中の複数の状態の変化を識別可能に表示するように制御することで、長時間撮影時の状態変化を適切に報知することができる。
【００８２】
なお、本実施形態では、ＬＥＤ１１６の点滅間隔を変えたが、複数の色（例えば緑色・黄色・赤色）が表示可能なＬＥＤ１１６を用いる場合、ＬＥＤ１１６が点灯する色を長時間撮影（長時間露光）の残り時間に応じて変えるようにすることもできる。例えば、長時間撮影終了までの残り時間が３分より長い場合は赤色点滅、残り時間が３分以内の場合は黄色点滅、１分以内の場合は緑色点滅にする等である。
【００８３】
また、複数の色が表示可能なＬＥＤ１１６を用いる場合、長時間撮影中に順番に行われる異なる撮影処理（本画像の露光（本撮影）とダーク画像の露光（ダーク画像撮影））の種類を識別可能に表示することも可能である。例えば、本画像の露光のときは赤色で点滅し、ダーク画像の露光のときは緑色で点滅することで、本画像の露光（本撮影）が終了したことを、ユーザに明示することもできる。上述したように、本画像の露光（本撮影）が終われば、ダーク画像の露光（ダーク画像撮影）中は、デジタルカメラ装置１を動かしても大丈夫である。点滅の変化に加えて、色の変化を併用して報知することで、ユーザは長時間撮影時の状態の時間的な変化をより分かり易く把握することができ、ユーザの使い勝手向上の点でより一層有益である。
【００８４】
また、本実施形態では、フォーカスの合焦状態やフラッシュの充電中の報知といった用途のために既にカメラ本体１ａに設置されているＬＥＤ１１６（図１のＬＥＤ１２）を、「第２の表示手段」として供用することで、部品点数（ドライバ回路も含む）の増大を招くことなく低コストで実現することができる。また、既存のＬＥＤ１１６を供用しているので、カメラ本体１ａ上の設置スペース及びレイアウトの自由度を向上させることができる。なお、長時間撮影中において、ＬＥＤ１１６をフォーカスの合焦状態やフラッシュの充電中の報知に使用することはないので、ユーザへの報知機能を損なうことはない。
【００８５】
（実施形態２）
実施形態１では、長時間撮影として「長時間露光」を行うデジタルカメラ装置に適用した例である。
実施形態２は、長時間撮影としてＨＤＲ合成を実行するデジタルカメラ装置に適用した
例について説明する。
本実施形態に係るデジタルカメラ装置の外観構成は、図１と同様であるため説明を省略する。
【００８６】
本実施形態に係るデジタルカメラ装置の構成を示すブロック図は、図２と同様である。
本実施形態では、図２のＣＰＵ１１０の制御部１１０ａは、長時間撮影（ＨＤＲ合成）が開始された場合、表示部１１５の表示を消灯し、かつ、ＨＤＲ合成画像を生成するまでの残り時間を識別可能とするように、ＬＥＤ１１６を表示させる。また、判別部１１０ｂは、複数回の撮像を複数回連続して行う撮影シーンが選択された場合に長時間撮影モードが設定されていると判別する。
【００８７】
また、図２の撮影制御部１０４が、以下の機能を備える。なお、図２のＳＤＲＡＭ１１１は、少なくとも５フレーム分の画像データを保持可能な容量を有する。
撮影制御部１０４は、ＣＰＵ１１０からの長時間撮影指示に基づいて、撮像光学系１０１に対して露出条件を変えながら略等しい構図で複数回撮像するように制御する。すなわち、撮影制御部１０４は、露出ブラケット撮像の実行を制御し、撮像光学系１０１及びイメージセンサ１０２による被写体の撮像の際の露出条件を逐次設定する。すなわち、撮影制御部１０４は、所定のプログラム線図に基づいて、イメージセンサ１０２のシャッター速度（露光時間）や信号増幅率（ＩＳＯ感度）、絞りの絞り値等を調整する。そして、撮影制御部１０４は、例えば、適正露出を基準値として、この基準値に対してアンダー露出及びオーバー露出となるように、シャッター速度や信号増幅率や絞り値等を制御して、焦点距離を固定した状態で略等しい構図の複数枚の画像をイメージセンサ１０２に連続して撮像させる。撮影制御部１０４は、略等しい構図の画像について明るさを複数段階に変更させて、複数枚の画像をイメージセンサ１０２に連続して撮像させる。
【００８８】
なお、撮影制御部１０４は、撮像光学系１０１のフォーカスレンズに代えて、イメージセンサ１０２を光軸方向に移動させて撮像光学系１０１の合焦位置を調整するようにしてもよい。また、撮影制御部１０４は、ＡＦ（自動合焦処理）、ＡＥ（自動露出処理）、ＡＷＢ（自動ホワイトバランス）等の被写体を撮像する際の条件の調整制御を行ってもよい。
【００８９】
画像処理部１０３は、さらにダイナミックレンジを拡大させるＨＤＲ合成画像を生成する。具体的には、画像処理部１０３は、撮影制御部１０４によって制御されて得た複数の画像データを画素加算し、ダイナミックレンジを拡大させる画像データを生成する。例えば、画像処理部１０３は、略等しい構図で露出条件（例えば、適正露出、アンダー露出、オーバー露出等）を異ならせて複数回撮像された画像データをフラッシュメモリ１１２から取得し、これら画像データの対応する画素の輝度成分同士を加算することでダイナミックレンジを拡大させたＨＤＲ合成画像の画像データ（ＹＵＶデータ）を生成する。
【００９０】
以下、上述のように構成されたデジタルカメラ装置の撮影表示制御方法について説明する。
図６は、本実施形態に係るデジタルカメラ装置の長時間撮影処理を示すフローチャートである。本フローは、ＣＰＵ１１０（図２参照）により実行される。
【００９１】
まず、ステップＳ４１で制御部１１０ａは、撮影モードが設定されているか否かを判別し、撮影モードが設定されていない場合（ステップＳ４１：Ｎｏ）は本フローを終了する。撮影モードに設定することにより、ライブビュー表示がモニタ画面に表示される。
撮影モードが設定されている場合（ステップＳ４１：Ｙｅｓ）、ステップＳ４２で判別部１１０ｂは、長時間撮影モードとしてＨＤＲ合成モードが設定されているか否かを判別する。ＨＤＲ合成モードが設定されていない場合（ステップＳ４２：Ｎｏ）は本フローを
終了する。
【００９２】
ＨＤＲ合成モードが設定されている場合（ステップＳ４２：Ｙｅｓ）、ステップＳ４３で制御部１１０ａは、レリーズキー１６押下か否かを判別し、レリーズキー１６が押下されるまで待つ（ステップＳ４３：Ｎｏ）。
【００９３】
レリーズキー１６が押下された場合（ステップＳ４３：Ｙｅｓ）、ステップＳ４４で制御部１１０ａは、撮影制御部１０４及び画像処理部２０３にＨＤＲ合成を指示し、モニタ画面をオフする。
【００９４】
ステップＳ４５で撮影制御部１０４は、撮像光学系１０１、イメージセンサ１０２を制御して露光条件を変えながら連続して複数枚の画像を撮影する。撮影制御部１０４は、例えば、適正露出を基準値として、この基準値に対してアンダー露出及びオーバー露出となるように、撮像光学系１０１、イメージセンサ１０２を制御することで、シャッター速度や信号増幅率や絞り値等を制御して、焦点距離を固定した状態で略等しい構図の複数枚（例えば、３枚等）の画像を連続して撮影し、ＳＤＲＡＭ１１１に保持する。
ステップＳ４６で画像処理部１０３は、ＳＤＲＡＭ１１１に保持される連続して撮像された各画像の画像データに基づいてＨＤＲ合成画像を生成する。
【００９５】
次いで、ステップＳ４７で制御部１１０ａは、ＬＥＤ１１６を前記長時間の点滅時間間隔（ここでは、３秒間隔）で点滅を開始する。
次いで、ステップＳ４８で制御部１１０ａは、ＨＤＲ合成画像生成終了まで所定時間（ここでは、３分）以内になったか否かを判別する。ＨＤＲ合成画像終了までの所定時間とは、撮影制御部１０４が露出条件を変えながら連続して複数枚の画像を撮像させ、画像処理部１０３が連続して撮像された各画像の画像データに基づいてＨＤＲ合成画像を生成するまでの残り時間である。ＨＤＲ合成画像終了まで所定時間（３分）以内になっていない場合（ステップＳ４８：Ｎｏ）は上記ステップＳ４７に戻り、ＬＥＤ１１６の３秒間隔の点滅を継続する。
【００９６】
ＨＤＲ合成画像終了まで所定時間（３分）以内になった場合（ステップＳ４８：Ｙｅｓ）、ステップＳ４９で制御部１１０ａは、ＬＥＤ１１６の点滅時間間隔を前記中時間の点滅時間間隔（ここでは、２秒間隔）に狭める。
ステップＳ５０では、制御部１１０ａは、３秒から２秒に狭めた点滅時間間隔でＬＥＤ１１６の点滅を継続させる。
【００９７】
次いで、ステップＳ５１で制御部１１０ａは、ＨＤＲ合成画像生成終了まで所定時間（ここでは、１分）以内になったか否かを判別する。ＨＤＲ合成画像生成終了まで所定時間（１分）以内になっていない場合（ステップＳ５１：Ｎｏ）は、上記ステップＳ５０に戻り、ＬＥＤ１１６の２秒間隔の点滅を継続する。
【００９８】
ＨＤＲ合成画像生成終了まで所定時間（１分）以内になった場合（ステップＳ５１：Ｙｅｓ）、ステップＳ５２で制御部１１０ａは、ＬＥＤ１１６の点滅時間間隔を前記短時間の点滅時間間隔（ここでは、１秒間隔）に狭める。
ステップＳ５３では、制御部１１０ａは、２秒から１秒に狭めた点滅時間間隔でＬＥＤ１１６の点滅を継続させる。
【００９９】
次いで、ステップＳ５４で制御部１１０ａは、ＨＤＲ合成画像生成終了か否かを判別する。ＨＤＲ合成画像生成終了でない場合（ステップＳ５４：Ｎｏ）は、上記ステップＳ５３に戻り、ＬＥＤ１１６の１秒間隔の点滅を継続する。
ＨＤＲ合成画像生成が終了した場合（ステップＳ５４：Ｙｅｓ）、ステップＳ５５で制
御部１１０ａは、ＨＤＲ合成画像をフラッシュメモリ１１２又は外部メモリ１１３に保存して本フローを終了する。
【０１００】
なお、本実施形態では、連続して複数枚の画像を撮影し、ＨＤＲ合成画像の生成を開始した時点でＬＥＤ１１６の点滅を開始しているが、連続して複数枚の画像を撮影している間の状態とＨＤＲ合成画像の生成中の状態とを識別可能にＬＥＤ１１６を点滅させたり、複数枚の撮影のうちの何枚目の撮影を行っているかを識別可能にＬＥＤ１１６を点滅させたりしてもよい。
【０１０１】
このように、本実施形態によれば、デジタルカメラ装置は、ＣＰＵ１１０の長時間撮影指示に従って、露出条件を変えながら略等しい構図で複数回撮像するように制御する撮影制御部１０４と、ダイナミックレンジを拡大させるＨＤＲ合成画像を生成する画像処理部１０３と、を備え、ＣＰＵ１１０の判別部１１０ｂは、複数回の撮像を複数回連続して行う撮影シーンが選択された場合に長時間撮影モードが設定されていると判別し、制御部１１０ａは、長時間撮影が開始された場合、表示部１１５の表示を消灯し、かつ、長時間撮影中に順番に行われる異なる撮影処理の種類を識別可能とするように、ＬＥＤ１１６を表示させる。
【０１０２】
これにより、長時間撮影（本実施形態では、ＨＤＲ合成）中に、消費電力が相対的に大きい、ＬＣＤ等のモニタ画面といった主となる表示手段（表示部１１５）を消灯し、消費電力が相対的に小さい、従となる表示手段（ＬＥＤ１１６）により、ユーザに長時間撮影の状態の時間的な変化かを識別可能に表示することで、消費電力の軽減を図りつつ、ユーザに、長時間撮影終了までの残り時間を報知することができる。
【０１０３】
また、本実施形態にあっても、実施形態１と同様に、複数の色（例えば緑色・黄色・赤色）が表示可能なＬＥＤ１１６を用いることで、ＬＥＤ１１６が点灯する色を長時間撮影（ＨＤＲ合成）の残り時間に応じて変えるようにすることもできる。このようにすれば、表示色の変化によってＨＤＲ合成処理終了までの残り時間をより分かり易く報知することができる。
【０１０４】
なお、本実施形態では、デジタルカメラ装置２が、撮影制御部１０４及び画像処理部２０３を備える例について説明したが、ＨＤＲ合成処理を専用アプリケーションで行う態様でもよい。この場合でもＨＤＲ合成処理には一定の時間を要するので、本制御は有効である。
【０１０５】
本発明は上記の実施形態例に限定されるものではなく、特許請求の範囲に記載した本発明の要旨を逸脱しない限りにおいて、他の変形例、応用例を含む。
【０１０６】
例えば、ＬＥＤの点滅時間、点滅回数、色は任意に設定可能であり、更に、点滅回数で露光の種類を識別可能としたり、点滅時間あるいは点滅回数だけで残り時間と露光の種類を識別可能としたり、色の種類と点滅回数を組み合わせたり、といったようにどの状態をどの方法で識別可能とするかは任意である。
【０１０７】
また、長時間撮影終了までの残り時間は、露光後の合成時間を含めた撮影時間で表示してもよい。この場合、露光中と合成中を識別可能とすることが好ましい。
また、ＬＥＤに代えて、有機ＥＬやモニタ画面とは別に配置される撮影条件等を表示するための小型のＬＣＤ表示等を利用するようにしてもよい。
【０１０８】
また、上記した実施形態例は本発明をわかりやすく説明するために詳細に説明したものであり、必ずしも説明した全ての構成を備えるものに限定されるものではない。また、あ
る実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【０１０９】
また、上記実施の形態では、撮影装置及び撮影表示制御方法という名称を用いたが、これは説明の便宜上であり、装置の名称はデジタルカメラ、方法の名称は表示制御方法等であってもよい。
【０１１０】
以上説明した撮影処理は、この撮影処理を機能させるためのプログラムでも実現される。このプログラムはコンピュータで読み取り可能な記録媒体に格納されている。
【０１１１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施してもよい。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１１２】
以下に、本願出願の当所の特許請求の範囲に記載された発明を付記する。付記に記載した請求項の項番は、この出願の願書に最初に添付した特許請求の範囲の通りである。
〔付記〕
＜請求項１＞
撮影手段と、
撮影された撮影画像を表示する第１の表示手段と、
前記第１の表示手段よりも低消費電力である第２の表示手段と、
撮影中に、前記第１の表示手段の表示を消灯し、かつ、
前記第２の表示手段が、前記撮影中の状態の変化を識別可能に表示するように制御する制御手段と、
を備えることを特徴とする撮影装置。
【０１１３】
＜請求項２＞
撮影が長時間撮影であるか否かを判別する判別手段を備え、
前記制御手段は、
前記判別手段により撮影が長時間撮影であると判別された場合に、前記第１の表示手段の表示を消灯することを特徴とする請求項１に記載の撮影装置。
【０１１４】
＜請求項３＞
前記判別手段は、長時間の露光時間が自動的に設定される撮影シーンが選択された場合、複数回の撮像を連続して行う撮影シーンが選択された場合、又は長時間の露光時間が設定された場合のいずれかに撮影が長時間撮影であると判別することを特徴とする請求項２に記載の撮影装置。
【０１１５】
＜請求項４＞
前記制御手段は、
前記第１の表示手段が消灯している間、前記第２の表示手段を、前記長時間撮影中の状態の変化を識別可能に表示するように制御することを特徴とする請求項２又は請求項３に記載の撮影装置。
【０１１６】
＜請求項５＞
前記制御手段は、
前記撮影中の状態の時間的な変化を識別可能とするように、前記第２の表示手段を点滅して表示させることを特徴とする請求項１乃至請求項４のいずれか一項に記載の撮影装置。
【０１１７】
＜請求項６＞
前記制御手段は、前記第２の表示手段の点滅速度又は点滅と消灯の繰り返しにおける点滅回数を変化させることを特徴とする請求項１乃至請求項５のいずれか一項に記載の撮影装置。
【０１１８】
＜請求項７＞
前記第２の表示手段は、複数の色が表示可能であり、
前記制御手段は、
前記撮影中の複数の状態の時間的な変化を識別可能とするように、前記第２の表示手段が表示する色を変えて表示させることを特徴とする請求項１乃至請求項６のいずれか一項に記載の撮影装置。
【０１１９】
＜請求項８＞
前記制御手段は、
前記第２の表示手段が、撮影の終了までの残り時間を識別可能に表示するように制御することを特徴とする請求項１乃至請求項７のいずれか一項に記載の撮影装置。
【０１２０】
＜請求項９＞
前記制御手段は、
撮影中に順番に行われる異なる撮影処理の種類を識別可能とするように、前記第２の表示手段を表示させることを特徴とする請求項１乃至請求項８のいずれか一項に記載の撮影装置。
【０１２１】
＜請求項１０＞
前記異なる撮影処理は、撮影画像の露光とダーク画像の露光であることを特徴とする請求項９に記載の撮影装置。
【０１２２】
＜請求項１１＞
前記異なる撮影処理は、撮影条件を変化させながら複数回連続して行われる撮影と、その複数回連続して撮影された画像の合成処理であることを特徴とする請求項９に記載の撮影装置。
【０１２３】
＜請求項１２＞
前記第２の表示手段は、前記撮影中の状態の変化を識別可能とする表示とは異なる用途でも使用されることを特徴とする請求項１乃至請求項１１のいずれか一項に記載の撮影装置。
【０１２４】
＜請求項１３＞
撮影装置の撮影表示制御方法であって、
撮影ステップと、
撮影画像を第１の表示手段により表示するステップと、
撮影中に、前記第１の表示手段の表示を消灯するステップと、
前記第１の表示手段よりも低消費電力である第２の表示手段が、前記撮影中の状態の変化を識別可能に表示するように制御するステップと、
を含むことを特徴とする撮影表示制御方法。
【０１２５】
＜請求項１４＞
撮影装置のコンピュータを、
撮影手段、
撮影された撮影画像を表示する第１の表示手段、
前記第１の表示手段よりも低消費電力である第２の表示手段、
撮影中に、前記第１の表示手段の表示を消灯し、かつ、
前記第２の表示手段が、前記撮影中の状態の変化を識別可能に表示するように制御する制御手段、
として機能させることを特徴とするプログラム。
【符号の説明】
【０１２６】
１  デジタルカメラ装置（撮影装置）
１ａ  カメラ本体
１１  液晶モニタ（第１の表示手段）
１２，１１６  ＬＥＤ（第２の表示手段）
１３〜１５  操作キー
１６  レリーズキー（シャッターボタン）
１０１  撮像光学系（撮影手段）
１０２  イメージセンサ（撮影手段）
１０３  画像処理部
１０４  撮影制御部
１１０  ＣＰＵ（制御手段）
１１１  ＳＤＲＡＭ
１１２  フラッシュメモリ
１１３  外部メモリ
１１４  キー操作部
１１５  表示部（第１の表示手段）
１１７  システムバス
【図１】
2015222879.tif 000003
【図２】
2015222879.tif 000004
【図３】
2015222879.tif 000005
【図４】
2015222879.tif 000006
【図５】
2015222879.tif 000007
【図６】
2015222879.tif 000008